(57)【要約】      （修正有）【課題】中央の扉を開閉することができる連動引き戸を提供する。【解決手段】隣接する２枚の戸板の対向面には、突出部および受け部がそれぞれ設けられ、該突出部が磁性体からなる可動部材を有し、前記受け部が前記可動部材を吸引する磁石および当該可動部材と係合し得る凹部を有し、前記突出部が、ケースと、該ケースから出没できるように当該ケースに揺動自在に取り付けられた磁性体からなる可動舌片と、該可動舌片を前記ケース内部に収納する方向へ付勢する付勢手段とからなり、前記受け部が、前記突出部の可動舌片と対向する面に当該可動舌片の先端と係合する前記凹部が形成されたケースと、当該ケース内部に収納された磁石とからなり、前記受け部のケースに形成された凹部の内面には、当該凹部の内奥面から当該凹部の互いに対向する開口縁のうちの一方へ略直角に延びる直角段部が形成され、他方の開口縁には直角段部が形成されていない。【選択図】図４
0003134022.tif 000002
【実用新案登録請求の範囲】
【請求項１】
開口部に摺動自在に取り付けられた複数枚の戸板を備えた連動引き戸であって、
隣接する２枚の戸板の対向面には、突出部および受け部がそれぞれ設けられ、
該突出部が磁性体からなる可動部材を有し、前記受け部が前記可動部材を吸引する磁石および当該可動部材と係合し得る凹部を有し、前記突出部が、ケースと、該ケースから出没できるように当該ケースに揺動自在に取り付けられた磁性体からなる可動舌片と、該可動舌片を前記ケース内部に収納する方向へ付勢する付勢手段とからなり、
前記受け部が、前記突出部の可動舌片と対向する面に当該可動舌片の先端と係合する前記凹部が形成されたケースと、当該ケース内部に収納された磁石とからなり、
前記受け部のケースに形成された凹部の内面には、当該凹部の内奥面から当該凹部の互いに対向する開口縁のうちの一方へ略直角に延びる直角段部が形成され、他方の開口縁には直角段部が形成されていない
ことを特徴とする連動引き戸。
【請求項２】
開口部に摺動自在に取り付けられた複数枚の戸板を備えた連動引き戸であって、
隣接する２枚の戸板の対向面には、突出部および受け部がそれぞれ設けられ、
該突出部が磁性体からなる可動部材を有し、前記受け部が前記可動部材を吸引する磁石および当該可動部材と係合し得る凹部を有し、
前記突出部が、ケースと、該ケースに出没自在に内蔵された磁性体からなる可動ロッドと、該可動ロッドを前記ケース内部に収納する方向へ付勢する付勢手段とからなり、
前記受け部が、前記突出部の可動ロッドと対向する面に当該可動ロッドと係合する前記凹部が形成されたケースと、当該ケース内部に収納された磁石とからなり、
前記受け部のケースに形成された凹部の内面のうちの一方の側には、当該凹部の内奥面から当該凹部の開口縁へ延びる斜面が形成され、前記凹部の内面のうちの他方の側には、当該凹部の内奥面から当該凹部の開口縁へ略直角に延びる直角段部が形成されてなる
ことを特徴とする連動引き戸。
【請求項３】
開口部に摺動自在に取り付けられた複数枚の戸板を備えた連動引き戸であって、
隣接する２枚の戸板の対向面には、それぞれ凹部が設けられ、
前記２枚の戸板の対向面に設けられた一方の凹部と他方の凹部には、それぞれ互いに極性が異なる磁石からなる可動部材が該凹部の内奥側に付勢され、
前記それぞれ互いに極性が異なる磁石からなる可動部材の一方の先端部に、他方の先端部に向かって略直角に延びる直角段部が形成されてなる
ことを特徴とする連動引き戸。
【考案の詳細な説明】
【技術分野】
【０００１】
本考案は連動引き戸に関する。さらに詳しくは、組立てが容易であり、種々のタイプの引き戸にも対応して利用することができ、かつ既存の引き戸にも後付けで装着することができる連動引き戸に関する。
【背景技術】
【０００２】
連動引き戸は、たとえば、複数本のレールに吊り下げられ、該レールに沿って摺動自在に取り付けられた複数枚の戸板を備えた引き戸であり、先頭にある１枚の戸板を閉じれば、隣接する他の戸板も連動して順次閉まることができ、一方、１枚の戸板を開ければ、他の戸板も順次開放することができる。
【０００３】
従来の連動引き戸は、隣接する２枚の戸板の対向面において、一方の戸板の下端付近に案内用のＬ字形のガイドピースが突設され、該Ｌ字形ガイドピースの先端が隣接する他方の戸板の下端縁に形成された溝に挿入され、該溝によって一方の戸板は隣接する他方の戸板に対して平行に摺動することができる。また、前記溝の端部には、ゴム製のエンドストッパが配設されており、該エンドストッパがＬ字形ガイドピースの先端を保持することによって、隣接する２枚の戸板が連結されるとともに戸板を閉じた状態にガタつきなく保持することができる。
【考案の開示】
【考案が解決しようとする課題】
【０００４】
しかし、昨今の住宅事情に鑑みると、３枚の連動引き戸が隣接する２つの部屋、たとえば、リビングと和室を挟んで設置されている場合、引き戸が閉じたられた状態で、中央の戸だけを開閉可能にし、３枚の引き戸のうちの１枚の一方の側面を覆うように和室に箪笥等の家具が設置され、３枚のうちの残りの１枚の戸の一方の側を覆うようにリビングに本棚等の別の家具を設置せざるを得ない場合があるが、従来の連動引き戸の場合、中央の扉を開閉することができず、利用範囲が狭いという問題がある。
【課題を解決するための手段】
【０００５】
本考案の第一の態様にかかわる連動引き戸は、開口部に摺動自在に取り付けられた複数枚の戸板を備えた連動引き戸であって、
隣接する２枚の戸板の対向面には、突出部および受け部がそれぞれ設けられ、
該突出部が磁性体からなる可動部材を有し、前記受け部が前記可動部材を吸引する磁石および当該可動部材と係合し得る凹部を有し、前記突出部が、ケースと、該ケースから出没できるように当該ケースに揺動自在に取り付けられた磁性体からなる可動舌片と、該可動舌片を前記ケース内部に収納する方向へ付勢する付勢手段とからなり、
前記受け部が、前記突出部の可動舌片と対向する面に当該可動舌片の先端と係合する前記凹部が形成されたケースと、当該ケース内部に収納された磁石とからなり、
前記受け部のケースに形成された凹部の内面には、当該凹部の内奥面から当該凹部の互いに対向する開口縁のうちの一方へ略直角に延びる直角段部が形成され、他方の開口縁には直角段部が形成されていない
ことを特徴とする。
【０００６】
本考案の第二の態様にかかわる連動引き戸は、開口部に摺動自在に取り付けられた複数枚の戸板を備えた連動引き戸であって、
隣接する２枚の戸板の対向面には、突出部および受け部がそれぞれ設けられ、
該突出部が磁性体からなる可動部材を有し、前記受け部が前記可動部材を吸引する磁石および当該可動部材と係合し得る凹部を有し、
前記突出部が、ケースと、該ケースに出没自在に内蔵された磁性体からなる可動ロッドと、該可動ロッドを前記ケース内部に収納する方向へ付勢する付勢手段とからなり、
前記受け部が、前記突出部の可動ロッドと対向する面に当該可動ロッドと係合する前記凹部が形成されたケースと、当該ケース内部に収納された磁石とからなり、
前記受け部のケースに形成された凹部の内面のうちの一方の側には、当該凹部の内奥面から当該凹部の開口縁へ延びる斜面が形成され、前記凹部の内面のうちの他方の側には、当該凹部の内奥面から当該凹部の開口縁へ略直角に延びる直角段部が形成されてなる
ことを特徴とする。
【０００７】
本考案の第三の態様にかかわる連動引き戸は、開口部に摺動自在に取り付けられた複数枚の戸板を備えた連動引き戸であって、
隣接する２枚の戸板の対向面には、それぞれ凹部が設けられ、
前記２枚の戸板の対向面に設けられた一方の凹部と他方の凹部には、それぞれ互いに極性が異なる磁石からなる可動部材が該凹部の内奥側に付勢され、
前記それぞれ互いに極性が異なる磁石からなる可動部材の一方の先端部に、他方の先端部に向かって略直角に延びる直角段部が形成されてなる
ことを特徴とする。
【考案の効果】
【０００８】
本考案によれば、３枚以上の戸板を備えた連動引き戸において、中央の扉を開閉することができる連動引き戸を提供することができる。
【考案を実施するための最良の形態】
【０００９】
つぎに図面を参照しながら本考案の連動引き戸を詳細に説明する。図１は本考案の連動引き戸の一実施の形態を示す斜視説明図、図２は図１の連動引き戸の全閉状態における突出部および受け部の配置を簡略的に示す水平断面図、図３は図１の連動引き戸を全開した状態を簡略的に示す水平断面図である。
【００１０】
図１〜３に示される連動引き戸は、いわゆる３本引きタイプの連動引き戸であり、２本の柱Ｐ１、Ｐ２によって囲まれ、壁Ｗを有する戸口において、柱Ｐ１、Ｐ２とのあいだの開口部の上下両端において鴨居Ｔおよび敷居Ｂが設けられ、敷居Ｂ上を複数の戸板１、２、３が摺動自在に取り付けられている。戸板１、２、３の上下両端に設けられた突条が、鴨居Ｔおよび敷居Ｂにそれぞれ形成された溝Ｇ１、Ｇ２に摺動自在に差し込まれている。また、戸板１、２、３が敷居Ｂ上を滑らかに摺動し得るように、各戸板の下端面に戸車を設けるようにしてもよい。また、図２に示すように食器棚ＣＢ、箪笥ＷＲなどの障害物がある場合に、まず、戸板（扉）１を開けるために把手Ｈ１、Ｈ２が取り付けられている。把手Ｈ１、Ｈ２を用いて戸板（扉）１を中央の戸板２と重なる位置まで開ければ、戸板（扉）１と一緒に中央の戸板２を開けることができる。図１〜３では、複数の戸板を示すために、戸板の幅および高さを小さめに描いている。なお、本実施の形態のように鴨居および敷居を設ける代わりに、天井面などに複数本のレールを固着し、該レールに戸板を摺動自在に吊り下げてもよい。
【００１１】
突出部（Ｍ、Ｓ１）は、図３に示されるように、戸板２、３の対向面の下部であって当該戸板が閉まる方向の側（図２における右側）の端部付近にそれぞれ１個ずつ設けられ、さらに、壁Ｗの対向面の下部であって、当該戸板が閉まる方向の側（壁Ｗの、図２における右側）の端部付近に、それぞれ設けられている。
【００１２】
また、受け部（Ｆ、Ｆｍ、Ｓ２）は、図２〜４に示されるように、戸板１、２、３の対向面の下部であって、当該戸板が開く方向の側（図２における左側（柱Ｐ１に近い側））の端部付近にそれぞれ設けられている。
【００１３】
なお、前記突出部（Ｍ、Ｓ１）および受け部（Ｆ、Ｓ２）の位置は、戸板の下部に限定されるものではなく、たとえば戸板の中央付近に設けることもできる。
【００１４】
本実施の形態の連動引き戸は、図４に示される戸板の幅方向に対して直角に移動自在の磁性体からなる斜めの先端面Ｓ１が形成された可動体Ｍから構成された突出部（Ｍ、Ｓ１）と係合し得る凹部を有する受け部（Ｆ、Ｓ２）を備えている。可動体Ｍは、バネＳＰによって可動空間Ｃの内奥方向に付勢されている。
【００１５】
受け部（Ｆ、Ｓ２）は、磁性体からなる固定体Ｆと、該固定体Ｆ内に埋め込まれた磁石Ｆｍから構成されている。固定体Ｆには前記可動体Ｍに形成された斜めの先端面Ｓ１と相補的な斜めの先端面Ｓ２が形成されており、この斜めの先端面Ｓ１と戸板の側縁および開口縁によって凹部Ｒが画定される。そして、斜めの先端面Ｓ１の最下部から戸板１の開口縁に沿って略直角に延びる直角段部ＳＴが形成されている。
【００１６】
突出部は、図４に示されたものに限定されることはない。たとえば、図６に示されるような軸ＡＸによって旋回自在に設けられた磁性体からなる舌片や旋回桿Ｌを採用することも可能である。
【００１７】
また、本実施の形態の連動引き戸は、図５に示されるように、２枚の戸板それぞれに形成された移動空間Ｃ１、Ｃ２内にバネＳＰ１、ＳＰ２によって空間Ｃ１、Ｃ２の内奥方向に付勢された、互いに極性が異なる磁石からなる可動部材Ｍ１の先端面Ｓ１に、他方の可動部材Ｍ２の先端面Ｓ２に向かって略直角に延びる断面Ｌ状の直角段部ＳＴ１、ＳＴ２が形成されている。
【図面の簡単な説明】
【００１８】
【図１】本考案の連動引き戸の一実施の形態を示す斜視説明図である。
【図２】図１の連動引き戸の全閉状態における突出部および受け部の配置を簡略的に示す水平断面図である。
【図３】図１の連動引き戸を全開した状態を簡略的に示す水平断面図である。
【図４】図１の戸板に設けられた突出部と凹部の構造の一例を示す説明図である。
【図５】図１の戸板に設けられた突出部と凹部の構造の他の一例を示す説明図である。
【図６】図１の戸板に設けられた突出部と凹部の構造のさらに他の一例を示す説明図である。
【符号の説明】
【００１９】
１、２、３    戸板
ＡＸ    軸
Ｂ    敷居
Ｃ、Ｃ１、Ｃ２    可動空間
ＣＢ    食器棚
Ｆ、Ｆｍ    受け部
Ｇ１、Ｇ２    溝
Ｈ１、Ｈ２    把手
Ｌ    旋回桿
Ｍ、Ｍ１、Ｍ２    突出部
Ｐ１、Ｐ２    柱
Ｒ    凹部
Ｓ、Ｓ１、Ｓ２    先端面
ＳＰ、ＳＰ１、ＳＰ２    バネ
ＳＴ、ＳＴ１、ＳＴ２    直角段部
Ｔ    鴨居
Ｗ    壁
ＷＲ    箪笥
【図１】
0003134022.tif 000003
【図２】
0003134022.tif 000004
【図３】
0003134022.tif 000005
【図４】
0003134022.tif 000006
【図５】
0003134022.tif 000007
【図６】
0003134022.tif 000008